(57)【特許請求の範囲】
【請求項１】
ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、
前記報知部は、前記ワイヤレス信号の受信により発光する発光部と、前記ワイヤレス送信器からのワイヤレス信号の受信により発音する発音部とを有すると共に、
各ワイヤレス送信器に、前記発光部の発光をオン又はオフに設定する発光設定スイッチを設け、ワイヤレス送信器は該発光設定スイッチの設定情報をワイヤレス信号に含めて送信し、ワイヤレス受信機はワイヤレス信号の設定情報に応じて発光部の発光をオン又はオフにすることを特徴とするワイヤレス報知システム。
【請求項２】
各ワイヤレス送信器に、前記発音部の発音をオン又はオフに設定する発音設定スイッチを設け、ワイヤレス送信器は該発音設定スイッチの設定情報をワイヤレス信号に含めて送信し、ワイヤレス受信機はワイヤレス信号の設定情報に応じて発音部の発音をオン又はオフにすることを特徴とする請求項１記載のワイヤレス報知システム。
【請求項３】
ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、
前記報知部は、前記ワイヤレス信号の受信により発光する発光部と、前記ワイヤレス送信器からのワイヤレス信号の受信により発音する発音部とを有すると共に、
各ワイヤレス送信器に、前記発音部の発音をオン又はオフに設定する発音設定スイッチを設け、ワイヤレス送信器は該発音設定スイッチの設定情報をワイヤレス信号に含めて送信し、ワイヤレス受信機はワイヤレス信号の設定情報に応じて発音部の発音をオン又はオフにすることを特徴とするワイヤレス報知システム。
【請求項４】
前記発光設定スイッチの設定により、前記発光部をオンするワイヤレス信号を送信するワイヤレス送信器と、前記発光部をオフするワイヤレス信号を送信するワイヤレス送信器と、を混在させたことを特徴とする請求項１乃至請求項２いずれか記載のワイヤレス報知システム。
【請求項５】
前記発音設定スイッチの設定により、前記発音部をオンするワイヤレス信号を送信するワイヤレス送信器と、前記発音部をオフするワイヤレス信号を送信するワイヤレス送信器と、を混在させたことを特徴とする請求項２乃至請求項３いずれか記載のワイヤレス報知システム。
【請求項６】
ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、
前記報知部は、前記ワイヤレス信号の受信により発光する発光部と、前記ワイヤレス送信器からのワイヤレス信号の受信により発音する発音部とを有すると共に、
前記発光部をオンする情報が予め固定設定され該情報を含むワイヤレス信号を送信するワイヤレス送信器と、前記発光部をオフする情報が予め固定設定され該情報を含むワイヤレス信号を送信するワイヤレス送信器と、を混在して具備し、ワイヤレス受信機はワイヤレス信号の報知内容に応じて発光部の発光をオン又はオフにすることを特徴とするワイヤレス報知システム。
【請求項７】
ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、
前記報知部は、前記ワイヤレス信号の受信により発光する発光部と、前記ワイヤレス送信器からのワイヤレス信号の受信により発音する発音部とを有すると共に、
前記発音部をオンする情報が予め固定設定され該情報を含むワイヤレス信号を送信するワイヤレス送信器と、前記発音部をオフする情報が予め固定設定され該情報を含むワイヤレス信号を送信するワイヤレス送信器と、を混在して具備し、ワイヤレス受信機はワイヤレス信号の報知内容に応じて発音部の発音をオン又はオフにすることを特徴とするワイヤレス報知システム。
【発明の詳細な説明】
【０００１】
【発明の属する技術分野】
本発明は、ワイヤレス信号を発するワイヤレス送信器と、該ワイヤレス信号を受信する受信部及び該ワイヤレス信号の受信を報知するワイヤレス受信機と、を有して成るワイヤレス報知システムに関する。
【０００２】
【従来の技術】
従来技術の一例を図１０に示す。従来のワイヤレス報知システムは、使用者等が呼出時又は連絡などの報知のために使用するワイヤレス送信器３１と、ワイヤレス送信器３１から送信されるワイヤレス信号を受信し受信状態を報知するワイヤレス受信機３２と、を有して成る。ワイヤレス送信器３１は、例えば３種類の操作釦３１ａ，３１ｂ，３１ｃを備えており、いずれかの操作釦３１ａ，３１ｂ，３１ｃを操作すると、操作された操作釦３１ａ，３１ｂ，３１ｃの種類の情報を含んだワイヤレス信号を送信する。ワイヤレス受信機３２は、送信器３１の操作釦３１ａ，３１ｂ，３１ｃそれぞれに対応した識別表示窓３２ａ，３２ｂ，３２ｃ，３２ｄ（表示窓３２ｄは送信器３１に４種類目の操作釦がある場合に機能する）と、前記ワイヤレス信号を受信する受信アンテナ３２ｅと、ワイヤレス信号の受信を報知するスピーカー３２ｆと、を備えている。
【０００３】
該システムにおいては、ワイヤレス送信器３１において、呼出または連絡のために使用者により例えば操作釦３１ａが操作されると、ワイヤレス送信器３１は操作された操作釦３１ａの情報を含んだワイヤレス信号を送信する。ワイヤレス受信機３２は、該ワイヤレス信号を受信アンテナ３２ｅより受信して、操作された操作釦３１ａに対応した識別表示窓３２ａを点灯すると共に、スピーカー３２ｆよりワイヤレス信号の受信を報知音にて報知する。同様に、ワイヤレス送信器３１にて操作釦３１ｂが操作されるとワイヤレス受信機３２では識別表示窓３２ｂが点灯し、ワイヤレス送信器３１にて操作釦３１ｃが操作されるとワイヤレス受信機３２では識別表示窓３２ｃが点灯する。同時にスピーカー３２ｆよりワイヤレス信号の受信を報知音にて報知する。
【０００４】
【発明が解決しようとする課題】
しかしながら前記従来技術のワイヤレス報知システムによれば、受信機３２では報知音のみの報知であったので、耳の不自由な人などにとっては報知音による報知は気づきにくいし、小さい表示窓３２ａ，３２ｂ，３２ｃの点灯では報知されたかどうかが即座にわからず、故に耳の不自由な人などにとって使いにくいものとなっていた。
【０００５】
本発明は上記問題に鑑みて成されたものであり、その目的とするところは、耳の不自由な人にも使いやすいワイヤレス報知システムを提供することである。
【０００６】
【課題を解決するための手段】
上記した課題を解決するために成された請求項１記載の発明は、ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、前記報知部は、前記ワイヤレス信号の受信により発光する発光部と、前記ワイヤレス送信器からのワイヤレス信号の受信により発音する発音部とを有すると共に、各ワイヤレス送信器に、前記発光部の発光をオン又はオフに設定する発光設定スイッチを設け、ワイヤレス送信器は該発光設定スイッチの設定情報をワイヤレス信号に含めて送信し、ワイヤレス受信機はワイヤレス信号の設定情報に応じて発光部の発光をオン又はオフにすることを特徴とする。
【０００７】
請求項２記載の発明は、請求項１において、各ワイヤレス送信器に、前記発音部の発音をオン又はオフに設定する発音設定スイッチを設け、ワイヤレス送信器は該発音設定スイッチの設定情報をワイヤレス信号に含めて送信し、ワイヤレス受信機はワイヤレス信号の設定情報に応じて発音部の発音をオン又はオフにすることを特徴とする。
【０００８】
請求項３記載の発明は、ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、前記報知部は、前記ワイヤレス信号の受信により発光する発光部と、前記ワイヤレス送信器からのワイヤレス信号の受信により発音する発音部とを有すると共に、各ワイヤレス送信器に、前記発音部の発音をオン又はオフに設定する発音設定スイッチを設け、ワイヤレス送信器は該発音設定スイッチの設定情報をワイヤレス信号に含めて送信し、ワイヤレス受信機はワイヤレス信号の設定情報に応じて発音部の発音をオン又はオフにすることを特徴とする。
【０００９】
請求項４記載の発明は、請求項１乃至請求項２いずれかにおいて、前記発光設定スイッチの設定により、前記発光部をオンするワイヤレス信号を送信するワイヤレス送信器と、前記発光部をオフするワイヤレス信号を送信するワイヤレス送信器と、を混在させたことを特徴とする。
【００１０】
請求項５記載の発明は、請求項２乃至請求項３いずれかにおいて、前記発音設定スイッチの設定により、前記発音部をオンするワイヤレス信号を送信するワイヤレス送信器と、前記発音部をオフするワイヤレス信号を送信するワイヤレス送信器と、を混在させたことを特徴とする。
【００１１】
請求項６記載の発明は、ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、前記報知部は、前記ワイヤレス信号の受信により発光する発光部と、前記ワイヤレス送信器からのワイヤレス信号の受信により発音する発音部とを有すると共に、前記発光部をオンする情報が予め固定設定され該情報を含むワイヤレス信号を送信するワイヤレス送信器と、前記発光部をオフする情報が予め固定設定され該情報を含むワイヤレス信号を送信するワイヤレス送信器と、を混在して具備し、ワイヤレス受信機はワイヤレス信号の報知内容に応じて発光部の発光をオン又はオフにすることを特徴とする。
【００１２】
請求項７記載の発明は、ワイヤレス信号を発するワイヤレス送信器と、該ワイヤレス信号を受信する受信部及び該ワイヤレス信号の受信を報知する報知部を有するワイヤレス受信機と、を有して成るワイヤレス報知システムにおいて、前記報知部は、前記ワイヤレス信号の受信により発光する発光部と、前記ワイヤレス送信器からのワイヤレス信号の受信により発音する発音部とを有すると共に、前記発音部をオンする情報が予め固定設定され該情報を含むワイヤレス信号を送信するワイヤレス送信器と、前記発音部をオフする情報が予め固定設定され該情報を含むワイヤレス信号を送信するワイヤレス送信器と、を混在して具備し、ワイヤレス受信機はワイヤレス信号の報知内容に応じて発音部の発音をオン又はオフにすることを特徴とする。
【００１６】
【発明の実施の形態】
（第１の実施形態の説明）
本発明の第１の実施形態を図１乃至図８に基づいて以下に説明する。
【００１７】
図１において、１０は使用者が呼出しや連絡等の報知のために使用するワイヤレス送信器（以下、単に送信器１０ともいう）、２０は遠隔の使用者からの呼出しや連絡を報知するワイヤレス受信機（以下、単に受信機２０ともいう）であり、両者をそれぞれ１乃至複数台有してワイヤレス報知システムが構成され、送信器１０からワイヤレス信号を送信すると、受信機２０にて受信するようになっている。また、受信機２０には、前記ワイヤレス信号を受信すると発音可能なスピーカー２０ｆと、前記ワイヤレス信号を受信すると発光可能な報知ランプ２０ｇと、を具備して成る。また、送信器１０は使用者の操作によりワイヤレス信号を発することができ、送信器１０のＩＤ番号を受信機２０に登録することにより、１つの受信機２０に対して１乃至複数個の送信器１０を対応させることが可能である。同様に受信機２０を一システム内で複数台設けることも可能である。なお、その他のシステム動作の詳細については後述する。
（送信器１０の構成要素説明）
まず、ワイヤレス送信器１０の構成について説明する。送信器１０は、３種類の手動式の操作釦１０ａ，１０ｂ，１０ｃを有しており、どの操作釦１０ａ，１０ｂ，１０ｃが操作されたかを示す情報をワイヤレス信号に含めて送信する。また、ワイヤレス送信器１０は、発光設定スイッチ１０ｄと、発音設定スイッチ１０ｅと、消去スイッチ１０ｆと、電源スイッチ１０ｇとを具備している。発光設定スイッチ１０ｄは、操作釦を操作した送信器１０のワイヤレス信号を受信機２０が受信したときに、前記報知ランプ２０ｇの発光をオンまたはオフに設定するスイッチである。また、発音設定スイッチ１０ｅは、操作釦を操作した送信器１０のワイヤレス信号を受信機２０が受信したときに、前記スピーカー２０ｆの発音をオンまたはオフに設定するスイッチである。消去スイッチ１０ｆは、前記報知ランプ２０ｇの発光等をオフするスイッチである。前記発光設定スイッチ１０ｄと前記発音設定スイッチ１０ｅの設定情報は、ワイヤレス信号に含めて送信される。
【００１８】
また、図３に示すように、送信器１０は、ＩＣ等で構成された処理回路部１１と、無線送信部１２とを有し、無線送信部１２と、前記操作釦１０ａ，１０ｂ，１０ｃと、発光設定スイッチ１０ｄと、発音設定スイッチ１０ｅと、消去スイッチ１０ｆと、電源スイッチ１０ｇとが処理回路部１１に接続されている。無線送信部１２は、変調回路部１２ａと、フェーズロックドループＩＣ等によるＰＬＬ発振回路部１２ｂと、高周波増幅部１２ｃと、送信アンテナ１２ｄとから成る。
【００１９】
また、図４に示すように、送信器１０の送信する報知信号１３は、自己に割り付けられた固有のＩＤ番号情報１３ａ、受信機２０へのＩＤ番号登録又は通常報知をモード切換えするモード設定情報１３ｂ、前記操作釦１０ａ，１０ｂ，１０ｃのいずれの釦が操作されたかを示す操作釦情報１３ｃ、前記発光設定スイッチ１０ｄの設定状態を示す発光設定情報１３ｄ、前記発音設定スイッチ１０ｅの設定状態を示す発音設定情報１３ｅ、前記消去スイッチ１０ｆの操作状態を示す消去情報１３ｆ、その他報知内容のデータ１３ｇとを含んで成る。なお、各情報１３ａ乃至１３ｇの並び順は図４の形態の他にも種々の形態が可能である。すなわち送信器１０は、前記各情報１３ａ乃至１３ｇの種々の内容の組み合わせにより互いに異なる報知内容のワイヤレス信号を発することができる。通常、前記発光設定スイッチ１０ｄと前記発音設定スイッチ１０ｅは「オン」にしておき、発光設定情報１３ｄと発音設定情報１３ｅがいずれも「オン」の状態になるようにしておく。
（送信器１０の動作説明）
前記構成の送信器１０において、操作釦１０ａ，１０ｂ，１０ｃのいずれかが操作されると、処理回路部１１はこれを検知し、前記操作釦情報１３ｃとして操作された操作釦１０の情報（例えば操作釦１０ｂが操作されたなら「操作釦１０ｂ」を示すデータ）を含ませた報知信号１３を変調回路部１２ａに出力する。変調回路部１２ａにおけるキャリアの周波数はＰＬＬ発振回路部１２ｂにより制御される。変調回路部１２ａにおいては処理回路部１１から出力された報知信号１３によりキャリアを変調する。その変調信号を高周波増幅部１２ｃにおいて信号増幅し、送信アンテナ１２ｄを介してワイヤレス送信する。
【００２０】
また、いずれかの操作釦１０ａ，１０ｂ，１０ｃの操作検知時に、前記発光設定スイッチ１０ｄがオンされている場合には、処理回路部１１は、前記発光設定情報１３ｄに「オン」の情報を含ませて送信し、前記発音設定スイッチ１０ｅがオンされている場合には、前記発音設定情報１３ｅに「オン」の情報を含ませて送信する。
【００２１】
また、単独で消去スイッチ１０ｆを操作検知した時には、処理回路部１１は、前記消去情報１３ｆに「消去スイッチ操作」の情報を含ませて送信する。
【００２２】
また、本システムに関係のない信号まで受信処理しないよう、本システム内で有効とする送信器１０のＩＤ番号を受信機２０に予め登録しておく必要がある。そのため送信器１０においては、図５に示すように、電源スイッチ１０ｇをオンして送信器１０自体の電源を立ち上げた時に、処理回路部１１内のクロックタイマー（図示せず）がカウント作動し、クロックタイマーがカウントしている所定時間の間は、前記モード設定情報１３ｂを「登録モード」に設定して例えば２秒送信３秒送信休止という周期で間欠送信する。前記所定時間経過後はモード設定情報１３ｂを「報知モード」に設定変更して、前記操作釦１０ａ，１０ｂ，１０ｃ、消去スイッチ１０ｆの操作時にのみ信号送信する。送信器１０は、電源スイッチ１０ｇをオンすると、前記所定時間の間のみ、前記操作釦１０ａ，１０ｂ，１０ｃ、消去スイッチ１０ｆの操作なしに、モード設定情報１３ｂを「登録モード」にした報知信号を自動的に間欠送信する。
【００２３】
また、処理回路部１１は、操作釦１０ａ，１０ｂ，１０ｃ又は消去ボタン１０ｆいずれかの操作終了を検知すると、処理回路部１１内のクロックタイマー（図示せず）をカウント作動させ、クロックタイマーがカウント作動している例えば２秒間は、操作釦１０ａ，１０ｂ，１０ｃ又は消去ボタン１０ｆが再操作されてもワイヤレス信号を発生しないようにしている。また、処理回路部１１は、操作釦１０ａ，１０ｂ，１０ｃ又は消去ボタン１０ｆいずれかの操作開始を検知すると、処理回路部１１内のクロックタイマー（図示せず）をカウント作動させ、操作釦１０ａ，１０ｂ，１０ｃ又は消去ボタン１０ｆが連続して例えば３秒間以上操作され続けた場合、ワイヤレス信号の送信を停止し、所定時間以上、例えば３秒以上連続してワイヤレス信号が送信されないようにしている。
（受信機２０の構成要素説明）
次に、受信機２０の構成について説明する。受信機２０は、４種類の識別表示窓２０ａ，２０ｂ，２０ｃ，２０ｄと、受信アンテナ２０ｅと、前記スピーカー２０ｆと、前記報知ランプ２０ｇとを備えている。報知ランプ２０ｇには、高輝度が得られるキセノンランプなどを使用すると、部屋の壁等を照らす事ができて、報知ランプ２０ｇの発光に使用者が気づきやすい。また、受信機２０は、送信器より出力される前記ワイヤレス信号を受信する無線受信部２１と、該ワイヤレス信号の受信を報知する報知部２２と、ＩＣ等による処理回路部２４と、タイマー部２５と、メモリ部２６とを有して成り、処理回路部２４に、前記識別表示窓２０ａ，２０ｂ，２０ｃ，２０ｄ、無線受信部２１、報知部２２、タイマー部２５、メモリ部２６が接続されている。前記無線受信部２１は、所謂一般的なスーパーヘテロダイン受信回路の構成を成しており、前記受信アンテナ２０ｅと、高周波増幅回路部２１ａと、周波数変換回路部２１ｂと、局部発振回路部２１ｃと、中間周波増幅回路部２１ｄと、復調回路部２１ｅとが直列に接続されて成る。前記４つの識別表示窓２０ａ，２０ｂ，２０ｃ，２０ｄにより、前記ワイヤレス信号の報知内容に応じて識別表示する識別表示部２３が構成される。
【００２４】
前記報知部２２は、前記ワイヤレス送信器からのワイヤレス信号の受信により発音する発音部２２Ａと、ワイヤレス信号の受信により発光する発光部２２Ｂとを有して成り、発音部２２Ａは、前記スピーカー２０ｆと、該スピーカー２０ｆからの報知音の発音をオン又はオフ制御するスピーカー制御部２２ａとから成る。発光部２２Ｂは、前記報知ランプ２０ｇと、該報知ランプ２０ｇからの報知光の発光をオン又はオフ制御する報知ランプ制御部２２ｂと、報知ランプ２０ｇ駆動するための電源電圧２２ｃとから成る。発音部２２Ａは、ワイヤレス信号の報知信号１３の発音設定情報１３ｅに応じて処理回路部２４により発音動作がオン又はオフされる。また、発光部２２Ｂは、ワイヤレス信号の報知信号１３の発光設定情報１３ｄに応じて処理回路部２４により発光動作がオン又はオフされる。
【００２５】
タイマー部２５は、前記送信器１０からのワイヤレス信号の受信により前記発光部２２Ｂと前記識別表示部２３の動作を一定時間保持させる。また、タイマー部２５によって発音部２２Ａの動作をも一定時間保持する。ここで、タイマー部２５の発光部２２Ｂおよび発音部２２Ａの保持時間は使用者が使いやすい最適の時間に設定すればよい。また、発光部２２Ｂの動作時間を、前記発音部２２Ａの動作時間より長く設定して、発光部２２Ｂの動作を保持しつつも、周囲に騒音とならないようにしている。また、メモリ部２６は、本システムで有効な送信器１０のＩＤ番号情報を登録しておくところである。
（受信機２０の動作）
前記構成の受信機２０において、送信器１０からのワイヤレス信号を受信アンテナ２０ｅを介して受信すると、該ワイヤレス信号を高周波増幅回路部２１ａにて信号増幅／調整し、周波数変換回路部２１ｂにおいて局部発振回路部２１ｃの発生周波数との差をとって中間周波数を得、中間周波増幅回路部２１ｄにて中間周波を信号増幅し、復調回路部２１ｅにて復調して、前記送信器１０の処理回路部１１から出力された報知信号１３を復調して取り出す。
【００２６】
該報知信号１３を受信した処理回路部２４は、受信部２１が受信復調した報知信号１３のなかのモード設定情報１３ｂの内容が、「登録モード」になっている場合は、該報知信号１３のなかにＩＤ番号情報１３ａをメモリ部２６に登録する。また、処理回路部２４は、受信部２１が受信して復調して取り出した報知信号１３のなかのモード設定情報１３ｂの内容が「報知モード」になっている場合は、該報知信号１３に含まれるＩＤ番号情報１３ａを、メモリ部２６に登録してあるＩＤ番号と照合し、報知信号１３のＩＤ番号情報１３ａと同一のＩＤ番号がメモリ部２６に登録されていない場合には、信号処理を行わずに信号受信を無視し、報知信号１３のＩＤ番号情報１３ａと同一のＩＤ番号がメモリ部２６に登録されている場合にのみ、以下に示す信号処理を行う。
【００２７】
図８は第１の実施形態の受信機２０の動作を示すタイムチャートである。この実施形態においては報知信号１３のモード設定情報１３ｂが「報知モード」の場合で、受信機２０のメモリ部２６にＩＤ番号情報として「ＩＤ１」が登録されている場合を前提に説明する。まず、受信部２１で受信復調した報知信号１３のＩＤ番号情報１３ａが「ＩＤ１」で且つ操作釦情報１３ｃが「操作釦１０ａ」の場合、処理回路部２４は、発音情報１３ｅが「オン」に設定されている場合のみ発音部２２Ａのスピーカー制御部２２ａを制御し、スピーカー２０ｆから報知音を発音動作させると同時に、発光情報１３ｄが「オン」に設定されている場合のみ発光部２２Ｂの報知ランプ制御部２２ｂを制御し、報知ランプ２０ｇから報知光を間欠発光動作させる。また同時に処理回路部２４は、操作釦情報１３ｃの「操作釦１０ａ」に対応した識別表示窓２０ａを点灯動作させる。処理回路部２４は、発光部２２Ｂ及び識別表示部２３の動作開始と同時に、タイマ部２５を動作させ、タイマ部２５のタイムアップにより発光部２２Ｂ及び識別表示部２３の動作を停止させる。また、処理回路部２４は、発音情報１３ｅが「オフ」に設定されている場合には発音部２２Ａが報知音を出さないようにオフさせると同時に、発光情報１３ｄが「オフ」に設定されている場合には発光部２２Ｂが報知光を出さないようにオフさせる。
【００２８】
なお、タイムアップ前に受信部２１が、消去情報１３ｆとして「消去スイッチ操作」の情報が含まれた報知信号１３を受信した場合には、タイマ部２５のタイムアップを待たずに発光部２２Ｂ及び識別表示部２３の動作を停止させる。
【００２９】
次に、報知信号１３のＩＤ番号情報１３ａが「ＩＤ１」で且つ操作釦情報１３ｃが「操作釦１０ｂ」の場合、処理回路部２４は前記と同様に、発音情報１３ｅが「オン」に設定されている場合のみスピーカー２０ｆから報知音を発音させると同時に、発光情報１３ｄが「オン」に設定されている場合のみ報知ランプ２０ｇから報知光を間欠発光させ、同時に発光部２２Ｂが間欠発光している間は、操作釦情報１３ｃの「操作釦１０ｂ」に対応した識別表示窓２０ｂを点灯させる。また、メモリ部２６に未登録の信号を受信したときには、処理回路部２４は信号処理を行わない。なお、操作釦情報１３ｃが「操作釦１０ｃ」の場合も前記と同様に識別表示窓２０ｃが点灯する。
（システム全体の動作説明）
上記構成の送信器１０及び受信機２０をそれぞれ１乃至複数台有して構成されたワイヤレス報知システムの基本動作をまとめる。送信器１０の操作釦１０ａ，１０ｂ，１０ｃのいずれかを操作すれば、送信器１０はワイヤレス信号を送信し、該ワイヤレス信号を受信機２０が受信する。このとき、送信器１０の発光設定スイッチ１０ｄと発音設定スイッチ１０ｅを「オン」に設定した状態であったならば、発音部２２Ａのスピーカー２０ｆから報知音を一定時間発音し、発光部２２Ｂの報知ランプ２０ｇから報知光を一定時間間欠発光する。送信器１０の操作釦１０ａ，１０ｂ，１０ｃは報知内容毎に使い分けることができ、操作釦１０ａを操作すれば前記報知光に伴って受信機２０の識別表示窓２０ａが点灯し、操作釦１０ｂを操作すれば前記報知光に伴って識別表示窓２０ｂが点灯し、操作釦１０ｃを操作すれば前記報知光に伴って識別表示窓２０ｃが点灯する。ここで、各操作釦１０ａ，１０ｂ，１０ｃや各識別表示窓２０ａ，２０ｂ，２０ｃに、報知内容を記したラベル等を貼っておくと、送信器１０においてどの報知内容がどの釦に対応しているかがわかりやすいし、受信機２０においてどのような報知内容で報知されているかがわかりやすい。また、送信器１０の消去スイッチ１０ｆを操作すると、受信機２０にて発光している発光部２２Ｂの報知ランプ２０ｇと点灯している識別表示部２３の発光及び点灯が停止する。
【００３０】
また、静かにしたい環境やその他の使用者の都合により、発音部２２Ａの発音をオフしたい場合には、送信器１０の発音設定スイッチ１０ｅを「オフ」に設定しておけば、いずれの操作釦１０ａ，１０ｂ，１０ｃを操作したときでも、受信機２０の発音部２２Ａのスピーカー２０ｆからは発音されない。同様に、特に耳の不自由な人がいないなどの報知光の不要な環境やその他の使用者の都合により、発光部２２Ｂの発光をオフしたい場合には、送信器１０の発光設定スイッチ１０ｄを「オフ」に設定しておけば、いずれの操作釦１０ａ，１０ｂ，１０ｃを操作したときでも、受信機２０の発光部２２Ｂの報知ランプ２０ｇは発光しない。
【００３１】
ここで、複数の送信器１０において、発光設定スイッチ１０ｄの設定が「オン」の送信器１０と「オフ」の送信器１０とを混在させたり、発音設定スイッチ１０ｅの設定が「オン」の送信器１０と「オフ」の送信器１０とを混在させたりすると、各送信器１０を受信機２０側で区別することができる。即ち、特に報知音や報知光の発生に制約がない環境で使用するのであれば、例えば重要度の高い場所にある送信器１０は発光設定スイッチ１０ｄと発音設定スイッチ１０ｅの設定を両方とも「オン」にしておき、その他は発光設定スイッチ１０ｄのみ「オフ」にしたものや発音設定スイッチ１０ｅのみ「オフ」にしたものなどにすれば、複数の送信器１０を３種類に分けて受信機２０側で区別することが出来、使い勝手のよいシステムとなる。
【００３２】
また、ワイヤレス送信器１０からのワイヤレス信号を各ワイヤレス受信機２０が受信報知しているときに、或るワイヤレス受信機２０の報知状態を見た人が対応を済ませて送信器１０の消去スイッチ１０ｆを操作すれば、各ワイヤレス受信機２０の識別表示部２３の点灯状態と発光部２２Ｂの発光状態を解除消灯して、全てのワイヤレス受信機２０の受信報知状態を解除できる。よって、対応を済ませた後、別の受信機２０の報知状態を見たときに、既に対応を済ませたことで再度同じことに対応する手間が省ける。
（第２の実施形態の説明）
次に、本発明の第２の実施形態について説明する。
【００３３】
第２の実施形態が前述の第１の実施形態と異なる点は、受信機２０の動作を示す図８に対応する部分が図９の動作になった点であり、即ち、送信器１０のワイヤレス信号のいずれの操作釦１０ａ，１０ｂ，１０ｃが操作されたかに応じて発光部２２Ｂの発光点滅周期を互いに異ならしめて、いずれの操作釦１０ａ，１０ｂ，１０ｃが操作されたかを受信機２０にて識別できるようにした点である。その他の図１乃至図７に対応する構成については第１の実施形態と同じである。
【００３４】
図９は第２の実施形態の受信機２０の動作を示す図である。この実施形態においても報知信号１３のモード設定情報１３ｂが「報知モード」の場合で、受信機２０のメモリ部２６にＩＤ番号情報として「ＩＤ１」が登録されている場合を前提に説明する。まず、受信部２１で受信復調した報知信号１３のＩＤ番号情報１３ａが「ＩＤ１」で且つ操作釦情報１３ｃが「操作釦１０ａ」の場合、処理回路部２４は、処理回路部２４は、発音情報１３ｅが「オン」に設定されている場合のみ発音部２２Ａのスピーカー制御部２２ａを制御し、スピーカー２０ｆから報知内容１に対応する報知音（「ピンポーン・ピンポーン・ピンポーン」等）を発音動作させると同時に、発光情報１３ｄが「オン」に設定されている場合のみ発光部２２Ｂの報知ランプ制御部２２ｂを制御し、報知ランプ２０ｇから報知内容１に対応する報知光を間欠的に発光点滅動作させる。この場合、例えば均等周期で３回点滅させる。また同時に処理回路部２４は、発光部２２Ｂが間欠的に発光点滅している間は、操作釦情報１３ｃの「操作釦１０ａ」に対応した識別表示窓２０ａを点灯動作させる。処理回路部２４は、発光部２２Ｂ及び識別表示部２３の動作開始と同時に、タイマ部２５を動作させ、タイマ部２５のタイムアップにより発光部２２Ｂ及び識別表示部２３の動作を停止させる。また、処理回路部２４は、発音情報１３ｅが「オフ」に設定されている場合には発音部２２Ａが報知音を出さないようにオフさせると同時に、発光情報１３ｄが「オフ」に設定されている場合には発光部２２Ｂが報知光を出さないようにオフさせる。
【００３５】
また、報知信号１３のＩＤ番号情報１３ａが「ＩＤ１」で且つ操作釦情報１３ｃが「操作釦１０ｂ」の場合、処理回路部２４は、発音情報１３ｅが「オン」に設定されている場合のみスピーカー制御部２２ａを制御して、スピーカー２０ｆから報知音を発音させるが、この場合は報知内容１の報知音とは異なる報知内容２に対応する報知音（「ポーン・ポーン・ポーン」等）を発音させる。また、該報知音に伴って、発光情報１３ｄが「オン」に設定されている場合のみ報知ランプ制御部２２ｂを制御し、報知ランプ２０ｇから報知内容１の報知光とは異なる形態の報知内容２に対応する発光形態の報知光を間欠発光動作させる。この場合、例えば２回間欠点灯を１サイクルとして、ある周期を以って３サイクル繰り返し間欠的に発光点滅させるなどにして、報知内容１の報知光と互いに異ならしめて区別できるようにする。また、操作釦情報１３ｃが「操作釦１０ｃ」の場合も、図示はしないが報知内容１及び報知内容２の報知光の発光形態と異なる発光形態にする。
【００３６】
前記報知光に伴って、前述の第１の実施形態と同様、報知信号１３の操作釦情報が「操作釦１０ａ」の時は識別表示窓２０ａが、「操作釦１０ｂ」の時は識別表示窓２０ｂが、「操作釦１０ｃ」の時は識別表示窓２０ｃがそれぞれ点灯する。また、前述の第１の実施形態の場合と同様、メモリ部２６に未登録の信号を受信したときには、処理回路部２４は信号処理を行わない。
（第３の実施形態の説明）
次に、本発明の第３の実施形態について説明する。
【００３７】
第３の実施形態は、第１の実施形態または第２の実施形態において、送信器１０の発光設定スイッチ１０ｄと発音設定スイッチ１０ｅを無くし、送信するワイヤレス信号の報知信号１３の発光設定情報１３ｄおよび発音設定情報１３ｅを、予め送信器１０毎に固定設定したものである。すなわち、発音設定情報１３ｅのみを「オフ」に設定し発光設定情報１３ｄを「オン」に設定した送信器１０、発光設定情報１３ｄのみを「オフ」に設定し発音設定情報１３ｅを「オン」に設定した送信器１０、発音設定情報１３ｅを「オン」に設定し発光設定情報１３ｄを「オン」に設定した送信器１０が予め決まっており、これによればスイッチ設定をせずとも、第１の実施形態において述べたような送信器１０毎の区別が受信機２０にてできる。
【００３８】
（その他の実施形態）
以上、本発明に係る第１乃至第３の実施形態について説明したが、本発明はこれに限らず、様々な実施形態が可能である。第１乃至第３の実施形態において、発光部２２Ｂの発光時間をタイマー部２５にて保持しない受信機２０、発音部２２Ａの発音時間をタイマー部２５にて保持しない受信機２０、発光部２２Ｂの動作時間を、発音部２２Ａの動作時間と同等くらいに設定した受信機２０、例えば発光部２２Ｂの発光色を互いに異ならしめることでワイヤレス信号の報知内容を区別できる受信機２０、報知内容１では発光部２２Ｂを連続点灯し報知内容２では断続点滅する受信機２０、識別表示部２３を省略した受信機２０、識別表示部２３と発光部２２Ｂの動作を連動させない受信機２０、発音設定スイッチ１０ｄや発光設定スイッチ１０ｅを省略した送信器１０にしてもよい。
【００３９】
また、本発明のワイヤレス発信器１０は、使用者が携帯するスイッチ操作型発信器に限らず、固定設置型のスイッチ操作型発信器や、屋外に取り付けるワイヤレスチャイム押釦等でもよいし、スイッチ式のものに限らず、防災センサーや防犯センサーや、来客報知センサー等のセンサー類でもよい。この場合、上記実施形態の「操作釦」の代わりに、各種センサー素子の出力を接続すればよい。
【００４０】
【発明の効果】
請求項１の発明によれば、送信器からのワイヤレス信号の受信を光と音にて報知可能であるので、耳の不自由のない人は勿論、耳の不自由な人にも使いやすいと共に、発光設定スイッチの設定により光報知が必要でない環境にも対応できるので、使用環境に対して広く対応できる。
【００４１】
請求項２の発明によれば、請求項１記載の発明の効果に加えて、発音設定スイッチの設定により光報知のみ必要で音報知が必要でない環境にも対応できるので、使用環境に対してより広く対応できる。
【００４２】
請求項３の発明によれば、送信器からのワイヤレス信号の受信を光と音にて報知可能であるので、耳の不自由のない人は勿論、耳の不自由な人にも使いやすいと共に、発音設定スイッチの設定により光報知のみ必要で音報知が必要でない環境にも対応できるので、使用環境に対して広く対応できる。
【００４３】
請求項４の発明によれば、請求項１乃至請求項２いずれか記載の発明の効果に加えて、報知光の有無により操作された送信器を受信機側で区別できるので、使い勝手にすぐれている。
【００４４】
請求項５の発明によれば、請求項２乃至請求項３いずれか記載の発明の効果に加えて、報知音の有無により操作された送信器を受信機側で区別できるので、使い勝手にすぐれている。
【００４５】
請求項６の発明によれば、送信器からのワイヤレス信号の受信を光と音にて報知可能であるので、耳の不自由のない人は勿論、耳の不自由な人にも使いやすいと共に、報知光の有無により操作された送信器を受信機側で区別できるので、使い勝手にすぐれている。
【００４６】
請求項７の発明によれば、送信器からのワイヤレス信号の受信を光と音にて報知可能であるので、耳の不自由のない人は勿論、耳の不自由な人にも使いやすいと共に、報知音の有無により操作された送信器を受信機側で区別できるので、使い勝手にすぐれている。
【図面の簡単な説明】
【図１】本発明の実施形態を示すシステム外観斜視図である。
【図２】同上のワイヤレス送信器１０の外観斜視図である。
【図３】同上のワイヤレス送信器１０の回路ブロック図である。
【図４】同上のワイヤレス送信器１０の送信する報知信号１３のフォーマットを示す図である。
【図５】同上のワイヤレス送信器１０の動作を示すタイムチャートである。
【図６】同上のワイヤレス受信機２０の外観斜視図である。
【図７】同上のワイヤレス送信器１０の回路ブロック図である。
【図８】第１の実施形態の受信機２０の動作を示すタイムチャートである。
【図９】第２の実施形態の受信機２０の動作を示すタイムチャートである。
【図１０】従来のワイヤレス報知システムの一例を示す外観斜視図である。
【符号の説明】
１０・・・ワイヤレス送信器
１０ａ・・・操作釦
１０ｂ・・・操作釦
１０ｃ・・・操作釦
１０ｄ・・・発光設定スイッチ
１０ｅ・・・発音設定スイッチ
１０ｆ・・・消去スイッチ
１３・・・送信器１０の発する信号
１３ｃ・・・操作釦情報
１３ｄ・・・発光設定情報
１３ｅ・・・発音設定情報
１３ｆ・・・消去情報
２０・・・ワイヤレス受信機
２０ａ・・・識別表示窓
２０ｂ・・・識別表示窓
２０ｃ・・・識別表示窓
２０ｄ・・・識別表示窓
２０ｆ・・・スピーカー
２０ｇ・・・報知ランプ
２１・・・受信部
２２・・・報知部
２２Ａ・・・発音部
２２Ｂ・・・発光部
２３・・・識別表示部
２４・・・処理回路部
２５・・・タイマー部
【図１】
0003591198.tif 000002
【図２】
0003591198.tif 000003
【図３】
0003591198.tif 000004
【図４】
0003591198.tif 000005
【図５】
0003591198.tif 000006
【図６】
0003591198.tif 000007
【図７】
0003591198.tif 000008
【図８】
0003591198.tif 000009
【図９】
0003591198.tif 000010
【図１０】
0003591198.tif 000011